(57)【要約】【課題】１つの導光板の側面に対応する複数の光源を互いに交互に配置することによって、ディスプレイ領域において著しい水平輝線を防止し、ディスプレイ領域の輝度分布の偏差を低減させて、映像品質を保障することができる。【解決手段】ディスプレイ装置において、映像信号を受信する映像受信部と、前記映像受信部に受信される映像信号を処理する映像処理部と、前記映像処理部によって処理される映像信号を映像で表示するディスプレイパネルと、前記ディスプレイパネルの分割された各ディスプレイ領域に光を出射する複数の導光板と、それぞれの前記導光板の側面に沿って順次配置され、前記各導光板の側面に光を照射する複数の光源と、を含み、１つの前記導光板の側面に対応する複数の光源の中で少なくとも一部の光源が形成する配置列は、前記いずれか１つの導光板の側面に対応する前記複数の光源の残りの少なくとも一部の光源が形成する配置列と異なることを特徴とする。【選択図】図２
2011108631.tif 000002
【特許請求の範囲】
【請求項１】
ディスプレイ装置において、
映像信号を受信する映像受信部と；
前記映像受信部に受信される映像信号を処理する映像処理部と；
前記映像処理部によって処理される映像信号を映像で表示するディスプレイパネルと；
前記ディスプレイパネルの分割された各ディスプレイ領域に光を出射する複数の導光板と；
それぞれの前記導光板の側面に沿って順次配置され、前記各導光板の側面に光を照射する複数の光源と；
を含み、
１つの前記導光板の側面に対応する複数の前記光源の中で少なくとも一部の前記光源が形成する配置列は、いずれか１つの前記導光板の側面に対応する複数の前記光源の残りの少なくとも一部の前記光源が形成する配置列と異なることを特徴とするディスプレイ装置。
【請求項２】
１つの前記導光板の側面に対応する複数の前記光源は、
１つの前記導光板の側面に沿った第１列に従って配置される複数の前記光源による第１光源グループと；
前記第１光源グループの前記第１列に対して離隔されるように１つの前記導光板の側面に沿った第２列に従って配置される複数の前記光源による第２光源グループと；
を含むことを特徴とする請求項１に記載のディスプレイ装置。
【請求項３】
前記第１光源グループの前記光源及び前記第２光源グループの前記光源は、１つの前記導光板の側面に対応して交互に配置されることを特徴とする請求項２に記載のディスプレイ装置。
【請求項４】
１つの前記導光板の側面は、１つの前記導光板の側面に対応する複数の前記光源の位置に対応するように凹凸形状を有することを特徴とする請求項２に記載のディスプレイ装置。
【請求項５】
１つの前記導光板の側面は、
１つの前記導光板の側面に形成され、前記第１光源グループの複数の前記光源が配置される複数の陥没部と；
１つの前記導光板の側面に形成され、前記第２光源グループの複数の前記光源が配置される複数の突出部と；
を含み、
複数の前記陥没部及び複数の前記突出部は、１つの前記導光板の側面に交互に形成されることを特徴とする請求項４に記載のディスプレイ装置。
【請求項６】
１つの前記導光板の側面に沿って１つの前記導光板の下側に配置され、前記第１光源グループの複数の前記光源及び前記第２光源グループの複数の前記光源が装着されるモジュール基板をさらに含むことを特徴とする請求項２に記載のディスプレイ装置。
【請求項７】
１つの前記導光板の側面に対応する複数の前記光源それぞれは、発光ダイオード素子を含むことを特徴とする請求項１に記載のディスプレイ装置。
【請求項８】
ディスプレイパネルに光を供給するバックライトユニットにおいて、
前記ディスプレイパネルの分割された各ディスプレイ領域に光を出射する複数の導光板と；
それぞれの前記導光板の側面に沿って順次配置され、各前記導光板の側面に光を照射する複数の光源と；
を含み、
１つの前記導光板の側面に対応する複数の前記光源の中で少なくとも一部の前記光源が形成する配置列は、いずれか１つの前記導光板の側面に対応する複数の前記光源の残りの少なくとも一部の前記光源が形成する配置列と異なることを特徴とするバックライトユニット。
【請求項９】
１つの前記導光板の側面に対応する複数の前記光源は、
１つの前記導光板の側面に沿った第１列に従って配置される複数の前記光源による第１光源グループと；
前記第１光源グループの前記第１列に対して離隔されるように１つの前記導光板の側面に従沿った第２列に従って配置される複数の前記光源による第２光源グループと；
を含むことを特徴とする請求項８に記載のバックライトユニット。
【請求項１０】
前記第１光源グループの前記光源及び前記第２光源グループの前記光源は、１つの前記導光板の側面に沿って交互に配置されることを特徴とする請求項９に記載のバックライトユニット。
【請求項１１】
１つの前記導光板の側面は、１つの前記導光板の側面に対応する複数の前記光源の位置に対応するように凹凸形状を有することを特徴とする請求項９に記載のバックライトユニット。
【請求項１２】
１つの前記導光板の側面は、
１つの前記導光板の側面に形成され、前記第１光源グループの複数の前記光源が配置される複数の陥没部と；
１つの前記導光板の側面に形成され、前記第２光源グループの複数の前記光源が配置される複数の突出部と；
を含み、
複数の前記陥没部及び複数の前記突出部は、１つの前記導光板の側面に互いに交互に形成されることを特徴とする請求項１１に記載のバックライトユニット。
【請求項１３】
１つの前記導光板の側面に沿って１つの前記導光板の下側に配置され、前記第１光源グループの複数の前記光源及び前記第２光源グループの複数の前記光源が装着されるモジュール基板をさらに含むことを特徴とする請求項９に記載のバックライトユニット。
【請求項１４】
１つの前記導光板の側面に対応する複数の前記光源それぞれは、発光ダイオード素子を含むことを特徴とする請求項８に記載のバックライトユニット。
【発明の詳細な説明】
【技術分野】
【０００１】
本発明は、光源及び導光板によって映像表示のための照明光を供給するバックライトユニット及びこれを有するディスプレイ装置に係り、詳しくはディスプレイ領域全体における著しい輝度偏差を抑制する構造のバックライトユニット及びこれを有するディスプレイ装置に関する。
【背景技術】
【０００２】
一般的に、テレビジョン、モニター等のようなディスプレイ装置は、映像を表示するディスプレイパネルを備えることによって、放送信号または多様なフォーマットの映像データを表示することができる。このようなディスプレイパネルは、液晶パネル、プラズマパネル等のような多様な形式で具現されて各種のディスプレイ装置に適用されている。ここで、パネル自体が発光しない液晶パネルが適用される場合、ディスプレイ装置は照明光をパネルに供給するバックライトユニットを備える。
【０００３】
このようなディスプレイ装置のバックライトユニットは、照明光を形成する光源として、過去に一般的に採択された冷陰極蛍光ランプより、環境汚染、応答速度などの側面で優秀な特性を有する発光ダイオード素子を採択する比率が増加している。バックライトユニットは、このような光源の配置位置にしたがって、直下形及びエッジ形に分けることができる。
【０００４】
直下形バックライトユニットは、光源が導光板の背面に沿って平行に配置されることによって、各光源が前面のパネルに向かって直接に光を照射する。エッジ型バックライトユニットは、光源が導光板のエッジに沿ってバー（bar）形態に配置され、光源からの光が導光板の側面から入射されてパネルに出射される構成である。エッジ形バックライトユニットは、導光板のエッジに光源が配置されるので、直下形に比べてディスプレイ装置のスリム化が容易なので、広く適用されている。
【発明の概要】
【発明が解決しようとする課題】
【０００５】
従って、本発明の目的は、ディスプレイパネルに表示される映像の輝度分布の偏差を低減させることができる構造のディスプレイ装置を提供することである。
【課題を解決するための手段】
【０００６】
本発明の実施形態によるディスプレイ装置は、映像信号を受信する映像受信部と、前記映像受信部に受信される映像信号を処理する映像処理部と、前記映像処理部によって処理される映像信号を映像で表示するディスプレイパネルと、前記ディスプレイパネルの分割された各ディスプレイ領域に光を照射する複数の導光板と、それぞれの前記導光板の側面に沿って順次配置され、前記各導光板の側面に光を照射する複数の光源と、を含み、１つの前記導光板の側面に対応する複数の光源の中で少なくとも一部の光源が形成する配置列は、前記いずれか１つの導光板の側面に対応する前記複数の光源の残りの少なくとも一部の光源が形成する配置列と異なることを特徴とする。
【０００７】
ここで、前記１つの導光板の側面に対応する複数の光源は、前記１つの導光板の側面に沿った第１列に従って配置される複数の前記光源による第１光源グループと、前記第１光源グループの前記第１列に対して離隔されるように前記１つの導光板の側面に沿った第２列に従って配置される複数の前記光源による第２光源グループと、を含むことができる。
【０００８】
ここで、前記第１光源グループの前記光源及び前記第２光源グループの前記光源は、前記１つの導光板の側面に沿って交互に配置されることができる。
【０００９】
また、前記１つの導光板の側面は、前記１つの導光板の側面に対応する前記複数の光源の位置に対応するように凹凸形状を有することができる。
【００１０】
ここで、前記１つの導光板の側面は、前記１つの導光板の側面に形成され、前記第１光源グループの前記複数の光源が配置される複数の陥没部と、前記１つの導光板の側面に形成され、前記第２光源グループの前記複数の光源が配置される複数の突出部と、を含み、前記複数の陥没部及び前記複数の突出部は、前記１つの導光板の側面に交互に形成されることができる。
【００１１】
また、前記１つの導光板の側面に沿って前記１つの導光板の下側に配置され、前記第１光源グループの前記複数の光源及び前記第２光源グループの前記複数の光源が装着されるモジュール基板をさらに含むことができる。
【００１２】
また、前記１つの導光板の側面に対応する前記複数の光源それぞれは、発光ダイオード素子を含むことができる。
【００１３】
また、本発明の実施形態によるディスプレイパネルに照明光を供給するバックライトユニットは、ディスプレイパネルの分割された各ディスプレイ領域に光を出射する複数の導光板と、それぞれの前記導光板の側面に沿って順次配置され、前記各導光板の側面に光を照射する複数の光源と、を含み、１つの前記導光板の側面に対応する複数の光源の中で少なくとも一部の光源が形成する配置列は、前記いずれか１つの導光板の側面に対応する前記複数の光源の残りの少なくとも一部の光源が形成する配置列と異なることを特徴とする。
【００１４】
ここで、前記１つの導光板の側面に対応する複数の光源は、前記１つの導光板の側面に沿った第１列に従って配置される複数の前記光源による第１光源グループと、前記第１光源グループの前記第１列に対して離隔されるように前記１つの導光板の側面に沿った第２列に従って配置される複数の前記光源による第２光源グループと、を含むことができる。
【００１５】
ここで、前記第１光源グループの前記光源及び前記第２光源グループの前記光源は、前記１つの導光板の側面に沿って交互に配置されることができる。
【００１６】
また、前記１つの導光板の側面は、前記１つの導光板の側面に対応する前記複数の光源の位置に対応するように凹凸形状を有することができる。
【００１７】
ここで、前記１つの導光板の側面は、前記１つの導光板の側面に形成され、前記第１光源グループの前記複数の光源が配置される複数の陥没部と、前記１つの導光板の側面に形成され、前記第２光源グループの前記複数の光源が配置される複数の突出部と、を含み、前記複数の陥没部及び前記複数の突出部は、前記１つの導光板の側面に交互に形成されることができる。
【００１８】
また、前記１つの導光板の側面に沿って前記１つの導光板の下側に配置され、前記第１光源グループの前記複数の光源及び前記第２光源グループの前記複数の光源が実装されるモジュール基板をさらに含むことができる。
【００１９】
また、前記１つの導光板の側面に対応する前記複数の光源それぞれは、発光ダイオード素子を含むことができる。
【発明の効果】
【００２０】
本発明によると、１つの導光板の側面に対応する複数の光源を交互に配置することによって、ディスプレイ領域における著しい水平輝線を防止し、ディスプレイ領域の輝度の分布偏差を低減させて、映像品質を保障することができる。
【図面の簡単な説明】
【００２１】
【図１】本発明の実施形態によるディスプレイ装置の分解斜視図である。
【図２】図１のディスプレイ装置の導光板及び光源モジュールを示す部分斜視図である。
【図３】図２の導光板及び光源モジュールの部分平面図である。
【図４】本発明の実施形態によるディスプレイ装置の構成ブロック図である。
【発明を実施するための形態】
【００２２】
以下、添付図面を参照して本発明に対して詳しく説明する。以下の実施形態では、本発明の思想と直接的な関連のある構成に対して説明し、それ以外の構成に対しては説明を省略する。しかし、本発明の思想が適用されたディスプレイ装置１を具現化する時に、このような説明が省略された構成が必要でないことを意味するのではないことを明言する。
【００２３】
図１は、本発明の実施形態によるディスプレイ装置１の概略的な分解斜視図である。
【００２４】
図１に示すように、本実施形態によるディスプレイ装置１は、収容空間を形成するカバー部１０、２０と、カバー部１０、２０による収容空間に収容され、映像が表示されるディスプレイパネル３０と、前記収容空間に収容されディスプレイパネル３０に映像が表示されるようにディスプレイパネル３０に照明を供給するバックライトユニット４０と、を含む。
【００２５】
図１に示す各方向に対して説明する。Ｘ、Ｙ、Ｚ方向は、基本的にそれぞれ縦、横及び高さ方向を示す。ディスプレイパネル３０は、Ｘ−Ｙ平面上に配置され、バックライトユニット４０及びディスプレイパネル３０がＺ方向に沿って積層されるように配置される。以下、各図面及び実施形態では、このような方向の定義に基づいて説明する。ここで、Ｘ、Ｙ、Ｚ方向の反対方向は、それぞれ−Ｘ、−Ｙ、−Ｚ方向と示し、Ｘ−Ｙ平面はＸ軸及びＹ軸によって形成される平面を意味する。
【００２６】
カバー部１０、２０は、ディスプレイ装置１の外形を形成し、ディスプレイパネル３０及びバックライトユニット４０を収容する。カバー部１０、２０は、ディスプレイパネル３０及びバックライトユニット４０の上下をそれぞれカバーする上側カバー１０及び下側カバー２０を含む。上側カバー１０及び下側カバー２０は、共に収容空間を形成し、この収容空間内にディスプレイパネル３０及びバックライトユニット４０を収容する。上側カバー１０の上面は、ディスプレイパネル３０のディスプレイ領域が露出されるように開口部を形成する。
【００２７】
ディスプレイパネル３０は、本実施形態によると、液晶パネルで具現化される。ディスプレイパネル３０は、２つの基板（図示せず）の間に液晶層（図示せず）が充填され、駆動信号が引加されてこの液晶層（図示せず）の配列を調整することによって映像を表示する。ディスプレイパネル３０は、独自で発光せずに、ディスプレイ領域に映像を表示するためにバックライトユニット４０から照明光が提供される。ここで、ディスプレイ領域は、ディスプレイパネル３０でＸ−Ｙ平面と平行に映像が表示される領域を意味する。
【００２８】
ディスプレイパネル３０は、駆動回路基板（図示せず）を有し、この駆動回路基板から駆動信号が引加されると、ディスプレイパネル３０の液晶（図示せず）が所定の角度に回転する。これによって、ディスプレイパネル３０のディスプレイ領域を構成する各セル（図示せず）単位で光の透過特性が異なるのでディスプレイ領域に映像が表示されることができる。
【００２９】
バックライトユニット４０は、ディスプレイパネル３０に光源を供給するために、ディスプレイパネル３０の背面に配置される。バックライトユニット４０は、ディスプレイパネル３０のディスプレイ領域に光を照射する複数の導光板１００と、光を生成して複数の導光板１００に入射させる複数の光源モジュール２００と、複数の導光板１００の背面に設けられ、光をディスプレイパネル３０方向に反射する反射板３００と、複数の導光板１００から出射される光の特性を調整する光学シート類４００と、を含む。
【００３０】
導光板１００は、アクリル射出成形等で具現化されたプラスチック成形レンズとして、光源モジュール２００から入射される光をディスプレイパネル３０のディスプレイ領域全体に均一に照射する。本実施形態で各導光板１００は、Ｘ方向に延長された矩形の形状を有し、Ｙ方向にアレイ（array）配置されるが、これらの個数、形状、延長方向、配置関係等を本発明の思想は限定しない。
【００３１】
導光板１００は、反射板３００と対向する下面に光透過パターンが形成されて、導光板１００から出射される光の均一性を向上させ、出射光量を調節することができる。すなわち、光透過パターンをどのように形成するのかにしたがって、各導光板１００で出射される光量を変更することができる。
【００３２】
光源モジュール２００は、ディスプレイパネル３０に提供するための光を生成し、生成した光が各導光板１００に入射するように各導光板１００の側面に配置される。すなわち、光源モジュール２００は、導光板１００と同様にＸ方向に延長され、導光板１００及び光源モジュール２００がＹ方向に沿って交互に配置される。
【００３３】
光源モジュール２００から生成された光は、Ｘ−Ｙ平面に平行な方向に各導光板１００に入射された後、各導光板１００からＺ方向に出射されてディスプレイパネル３０に入射する。これによって、ディスプレイパネル３０は、Ｘ−Ｙ平面に平行なディスプレイ領域上に映像を形成することができる。
【００３４】
以下、本実施形態による導光板１０１及び光源モジュール２００の構成に対して図２及び図３を参照して説明する。図２は、導光板１０１及び光源モジュール２００の部分斜視図であり、図３は図２の導光板１０１及び光源モジュール２００を−Ｚ方向に見た構成を示す部分平面図である。
【００３５】
図２及び図３は、Ｙ方向に順次配置された複数の導光板１００の中のいずれか１つの第１導光板１０１及びこの第１導光板１０１に光Ｌを供給する光源モジュール２００の−Ｘ方向に見た一部を示すのである。ここで、図２は、光源モジュール２００をさらに明確に示すように第１導光板１０１及びこれに隣接して配置された第２導光板１０２の間がさらに離間して示されている。また、その他の導光板１００及びこれに対応する光源モジュール２００については、以下の実施形態が同様に適用されるので、その説明を省略する。
【００３６】
第１導光板１０１は、Ｚ方向に向いた上面に形成され、光源モジュール２００から照射される光Ｌが出射される光出射面１１０を有する。そして、第１導光板１０１には、光出射面１１０に直交してＸ方向に沿って延在する側面１２０、１３０から、光源モジュール２００から照射される光Ｌが入射される。
【００３７】
光源モジュール２００は、第１導光板１０１の側面１２０、１３０に対応してＸ方向に順次配置された複数の光源２１０と、この複数の光源２１０が実装されるモジュール基板２２０と、を含む。
【００３８】
光源２１０は、本実施形態によると、発光ダイオード素子(light-emitting diode、LED)で具現化され、モジュール基板２２０から駆動電源及び点滅制御信号が供給される。光源２１０は、モジュール基板２２０に実装される形態によって発光方向を調節することができる。従って、本実施形態で光Ｌの照射方向が第１導光板１０１の側面１２０、１３０に向かう−Ｙ方向になるように、光源２１０がモジュール基板２２０に実装される。
【００３９】
１つのモジュール基板２２０に実装される光源２１０は、青色ＬＥＤ、緑色ＬＥＤ及び赤色ＬＥＤを含むことができる。また、各カラーのＬＥＤから照射される青色光、緑色光及び赤色光が互いに混色されて、優秀な色再現性を有する白色光を形成することができる。しかし、これは実施形態に過ぎず、光源２１０が白色光を直接生成する白色ＬＥＤを含むこともできる。
【００４０】
もし、１つの光源モジュール２００に含まれる光源２１０が一列に配置されると、ディスプレイパネル３０のディスプレイ領域には、このような光源２１０の配列による著しい水平輝線が形成される。これは、ディスプレイ領域全体の輝度分布の偏差を高めて映像品質を低下させる。
【００４１】
従って、本実施形態によると、光源モジュール２００が含む複数の光源２１０は、導光板１００の側面１２０に沿って一列に配置された第１光源グループと、前記グループの配置列に対して離隔して配置された第２光源グループに分かれる。すなわち、第１導光板１０１の側面１２０、１３０に対応する複数の光源２１０の中で少なくとも一部の光源２１０が形成する配置列は、残りの少なくとも一部の光源２１０が形成する配置列と異なる。即ち、１つの光源モジュール２００が含む複数の光源２１０の配置列は、一列または直線ではなく、千鳥状または交互に配置される。
【００４２】
ここで、光源モジュール２００が２つの光源グループを含むことを限定するのではなくて、設計方法によっては３つ以上の光源グループを含むこともできる。
【００４３】
このように、１つの光源モジュール２００に含まれる複数の光源２１０の配置をずらして配置することによって、ディスプレイ領域における著しい水平輝線を防止し、ディスプレイ領域の輝度分布の偏差を減らすことによって映像品質を保障することができる。
【００４４】
本実施形態で、光源モジュール２００に含まれる複数の光源２１０は、Ｘ方向に平行で互いに離間した所定の直線Ａ及びＢのうちいずれか１つの直線上に配置される。すなわち、光源モジュール２００は、直線Ａに従って一列に配置された複数の光源２１０で構成された第１光源グループと、直線Ｂに従って一列に配置された複数の光源２１０で構成された第２光源グループと、を含む。
【００４５】
第１光源グループ及び第２光源グループそれぞれの光源２１０の相対的な配置順序は限定されなく、例えば本実施形態のように第１導光板１０１の側面１２０、１３０に対応して各光源グループの光源２１０が１つずつ交互に配置されたり、または各光源グループの光源２１０が複数個ずつ交互に配置されたりすることもできる。
【００４６】
モジュール基板２２０は、第１導光板１０１の下側に配置され、モジュール基板２２０のＹ方向の幅は少なくとも直線Ａ及Ｂの間の間隔より広く設けられる。これによって、モジュール基板２２０上に第１光源グループ及び第２光源グループの光源２１０が実装されることができる。モジュール基板２２０は、ディスプレイ装置１のシステム電源が入力されることによって、実装された光源２１０を選択的に点滅させることができる。
【００４７】
一方、第１導光板１０１は、このような各光源２１０の配置に対応して多様な形状を有することができる。もし、第１導光板１０１の側面１２０、１３０が同平面になるように延長されると、直線Ｂ上に配置された第２光源グループの光源２１０と第  １導光板１０１との間に所定の距離以上の間隔が形成される。このようになれば、第２光源グループの光源２１０から照射される光Ｌが、第１導光板１０１に入射されない光漏れ現象が発生することがある。
【００４８】
すなわち、第１導光板１０１の側面１２０、１３０は、光源２１０から照射される光が入射するように光源２１０に近接して配置されなければならないので、本実施形態の第１導光板１０１の側面１２０、１３０は、各光源２１０の位置に対応するように光源２１０に向かう方向に凹凸形状を有する。これは実施形態に過ぎないので、光源２１０の配置形態に従って第１導光板１０１の側面１２０、１３０の形状は多様に設計を変更することができる。
【００４９】
詳しくは、第１導光板１０１は、その側面１２０、１３０に沿って複数の陥没部１２０及び突出部１３０が形成される。突出部１３０が陥没部１２０の間に形成されることによって、第１導光板１０１は、陥没部１２０及び突出部１３０が交互に配置される。陥没部１２０に対応して第１光源グループの光源２１０が配置され、突出部１３０に対応して第２光源グループの光源２１０が配置される。
【００５０】
このように第１導光板１０１は、各光源２１０からの光Ｌが第１導光板１０１に入射されず外側に漏れることを防止するように、その側面１２０、１３０が各光源２１０に近接する形状を有する。
【００５１】
本実施形態では、陥没部１２０及び突出部１３０に１つずつの光源２１０が配置されるように示したが、これは実施形態に過ぎず、陥没部１２０及び突出部１３０に２つ以上の光源２１０が配置されることもできる。
【００５２】
また、陥没部１２０及び突出部１３０は、その形状の相対的な関係に対して便宜上称したのであって、構成の名称が本発明の思想を限定しない。また、本実施形態で第１導光板１０１の側面１２０、１３０は、陥没部１２０及び突出部１３０の２段階の段差を形成するように示したが、設計方式によっては複数の光源が３つ以上の光源グループを形成し、これによって第１導光板１０１が三段階以上の段差を形成する構成も可能である。
【００５３】
一方、第１導光板１０１の側面１２０、１３０と対向する第２導光板１０２の側面は、Ｘ方向に沿って同平面に形成されてもよい。しかし、この場合、第２光源グループの光源２１０によって、第１導光板１０１及び第２導光板１０２の間隔が所定の距離以上に離間して、第１導光板１０１及び第２導光板１０２の間の領域に対応するディスプレイ領域上に暗部を形成することがある。
【００５４】
従って、第２導光板１０２は、第１導光板１０１の陥没部１２０及び突出部１３０にそれぞれ対応して突出部１３１及び陥没部１２１を形成する。第２導光板１０２の突出部１３１が第１導光板１０１の陥没部１２０に対応するように配置され、第２導光板１０２の陥没部１２１が第１導光板１０１の突出部１３０に対応するように配置されることによって、第１導光板１０１及び第２導光板１０２の間の距離が所定の距離以上に離間することを防止することができる。
【００５５】
一方、前述した実施形態は、多様な形態に具現化されるディスプレイ装置１に適用されることができる。以下、ディスプレイ装置１がテレビで具現化される場合に本発明の実施形態が適用される実施形態に対して図４を参照して説明する。
【００５６】
図４は、本実施形態によるディスプレイ装置１の構成ブロック図である。図４で、実線は映像信号または制御信号の伝達、点線は光の伝達を示す。
【００５７】
図４に示すように、本実施形態によるディスプレイ装置１は、映像信号を受信する映像受信部５０と、映像受信部５０に受信される映像信号を処理する映像処理部６０と、映像処理部６０によって処理される映像信号を映像に表示するディスプレイパネル７０と、ディスプレイパネル７０に映像が表示されるように照明光を供給するバックライトユニット８０と、を含む。
【００５８】
映像受信部５０は、次のように様々な規格を有することができる。例えば、ディスプレイ装置１がテレビで具現化される場合、映像受信部６０は、放送局（図示せず）から伝送されるＲＦ(radio frequency)信号を無線で受信したり、またはコンポジット(composite)ビデオ、コンポーネント(component)ビデオ、スーパービデオ(super video)、ＳＣＡＲＴ、ＨＤＭＩ(high definition multimedia interface)規格などによる映像信号を受信したりすることができる。または、映像受信部５０は、ディスプレイ装置１がコンピュータモニターである場合にＶＧＡ方式によるＲＧＢ信号を伝達することができるＤ−ＳＵＢや、ＤＶＩ(digital video interactive)、ＨＤＭＩ規格などの映像信号を受信するように具現化することができる。
【００５９】
映像処理部６０は、映像受信部５０から伝達される映像信号に対して、既に設定された多様な映像処理プロセスを行う。映像処理部６０が行う映像処理プロセスの種類は限定されないので、例えば多様な映像フォーマットに対応するデコーディング(decoding)及びエンコーディング(encoding)、デ・イントレイシング(de-interlacing)、フレームリフレッシュレート(frame refresh rate)変換、スケーリング(scaling)、映像画質改善のためのノイズ減少(noise reduction)、ディテールインヘンスモント(detail enhancement)等を含むことができる。
【００６０】
映像処理部６０は、このような各プロセスを独自的に行うことができる個別的な構成で具現化されたり、またはいろいろな機能を統合させた一体型構成で具現化されたりすることができる。
【００６１】
ディスプレイパネル７０及びバックライトユニット８０の構成は前述した実施形態の構成と実質的に等しいので、その説明を省略する。
【００６２】
以上、多様な実施形態を通じて本発明に対して図示して説明したが、本発明はこれに限定されず、本発明の当業者であれば本発明の原則又は精神から外れることなく、本発明の実施形態を変形し得ることを理解できる。発明の範囲は、特許請求の範囲とその同等物によって定められる。
【符号の説明】
【００６３】
１  ディスプレイ装置
１０  上側カバー
２０  下側カバー
３０  ディスプレイパネル
４０  バックライトユニット
１００、１０１、１０２  導光板
１１０  光出射面
１２０  陥没部、側面
１３０  突出部、側面
２００  光源モジュール
２１０  光源
２２０  モジュール基板
【図１】
2011108631.tif 000003
【図２】
2011108631.tif 000004
【図３】
2011108631.tif 000005
【図４】
2011108631.tif 000006